(57)【要約】【課題】固定サッシの結露排水構造として、下枠のガラス溝を通って排水するタイプを採用しているにも拘わらずガラス溝内部の湿気によるガラスへの悪影響を回避できるようにする。【解決手段】室内側のガラス面に結露した結露水を下枠２のガラス溝４を通って室外に排水する固定サッシ１の結露排水構造において、ガラス溝４の内部に、結露水の流路の周囲をガラス溝４の内部空間と隔離する仕切り体Ａを設ける。仕切り体Ａは、ガラス溝４の内部に設置された下向き開放の溝状部材１３や排水パイプ１４によって構成される。【選択図】図３
2009293204.tif 000002
【特許請求の範囲】
【請求項１】
室内側のガラス面に結露した結露水を下枠のガラス溝を通って室外に排水する固定サッシの結露排水構造であって、ガラス溝の内部に、結露水の流路の周囲をガラス溝の内部空間と隔離する仕切り体を設けたことを特徴とする固定サッシの結露排水構造。
【請求項２】
仕切り体が、ガラス溝の内部に設置された下向き開放の溝状部材によって構成されていることを特徴とする請求項１に記載の固定サッシの結露排水構造。
【請求項３】
仕切り体が、ガラス溝の内部に設置された排水パイプによって構成されていることを特徴とする請求項１に記載の固定サッシの結露排水構造。
【請求項４】
排水パイプの一端を下枠の室内側凹部に設けられた排水弁の排出口に連結し、他端をガラス溝の底板部に形成した流出口より下方に突出させてあることを特徴とする請求項３に記載の固定サッシの結露排水構造。
【発明の詳細な説明】
【技術分野】
【０００１】
本発明は、例えば集合住宅や屋内プールの嵌め殺し窓（ＦＩＸ窓）等を構成する固定サッシにおいて室内側のガラス面に結露した結露水を下枠に形成した排水路によって室外に排水する固定サッシの結露排水構造に関する。
【背景技術】
【０００２】
集合住宅等の固定サッシおいて、結露水を下枠に形成した排水路によって室外に排水する結露排水構造には、図７の（Ａ）に示すように、下枠２のガラス溝４を通って排水するタイプと、図７の（Ｂ）に示すように、ガラス溝４を通らずに排水するタイプ（特許文献１）とがある。図中の５はガラス溝４の底面に適当間隔おきに設置されたセッティングブロックであり、ガラス３０の下端面（小口）を局部的に支えている。セッティングブロック５によって所々を支えられたガラス３０の小口は、ガラス溝４の内部空間に露出している。６はガラス３０の内外両側面とガラス溝４の上端開口との間をシールするシール材、７はそのバックアップ材である。８は排水弁であり、球形あるいは他の形式の弁体を備えた逆止弁機構となっており、結露水は重力で排水するが、外部風により弁体が閉動して、外部風による雨水の吹込みや結露水の逆流を防止できるように構成されている。１２は取付ビスのねじ込み用凹部である。
【０００３】
ガラス溝４を通らずに排水するタイプは、ガラス溝４の下方に排水路を形成するための底板部分２ａが必要であるため、固定サッシ１における下枠２の断面形状が前者（ガラス溝４を通って排水するタイプ）よりも複雑化し、アルミ押出し成形用ダイスの形状が複雑化するばかりでなく、下枠２の長手方向両端と固定サッシ１の縦枠とをビス止めする取付ビスの必要本数が増え、それに伴って、縦枠と下枠２の両端面との間に介装されるマットシーラーに対するビス孔の加工数も増え、これらがコスト増の要因となる。殊に、住戸数が多くて、固定サッシの数量が多い集合住宅においては、サッシ価格とビス止め関連費用によるコスト増が看過できない金額となっている。
【０００４】
このため、固定サッシの結露排水構造としては、低コスト化の観点から、近年では、図７の（Ａ）のように、ガラス溝４を通って排水するタイプが主流を占めつつある。
【０００５】
しかし、このタイプにおいては、ガラス溝４の内部が結露水によって湿潤な状態となるので、ＦＩＸ窓のガラス３０として網入りガラスを用いた場合、セッティングブロック５で局部的に支えられている網入りガラスの小口（下端面）が長時間にわたって湿気に曝されることになり、錆の発生と、それに起因するガラスの破損という問題が生じる。
【０００６】
即ち、図６の（Ａ）、（Ｂ）に示すように、網入りガラス３を切断する際、金網３ａの一部が引き伸ばされつつガラス部分が切断されるから、網入りガラス３の切断端面には、図６の（Ｃ）に示すように、引き伸ばされて切断された金網端部３ｂが突出した状態となる。この突出した金網端部３ｂは、図６の（Ｄ）に示すように、折り曲げられ、その上から、図６の（Ｅ）に示すように、防錆処理３ｃされる。
【０００７】
従って、この防錆処理３ｃが不完全であったり、防錆処理３ｃの耐久性に問題があった場合、この部位がガラス溝４の内部空間に位置し、長期間、湿潤な状態に保たれることによって、錆が発生し、錆による金網の膨張によってガラスの割れに繋がり、ガラス本来の性能が長期間維持できなくなる可能性がある。
【０００８】
同様な問題は、ＦＩＸ窓のガラスとして合わせガラスを用いた場合にも生じ得る。即ち
、図７の（Ａ）に示すタイプにおいては、合わせガラスの小口がガラス溝の内部空間に露出した状態に位置し、長期間、湿潤な状態に曝されると、合わせガラスの中間膜が白く変化（ガラス周辺部）する現象が生じ、ガラスの透明度が低下するといった問題が発生して、長期的な機能維持の妨げとなる可能性がある。
【０００９】
尚、特許文献２〜特許文献４に示すような引き違い式の障子を構成する可動サッシにおいては、障子の下框に形成されるガラス溝がシール材で満たされており、ガラスの小口がこのシール材に埋没していて、シール材が破損・劣化しない限り、ガラスの小口が湿気に触れることがないので、原理的に、上記の問題は発生しない。
【００１０】
【特許文献１】特開平１０−３０３８２号公報
【特許文献２】実開平６−４５０７０号公報
【特許文献３】特開２００２−２２７５４６号公報
【特許文献４】特開２００４−２３８９６２号公報
【発明の開示】
【発明が解決しようとする課題】
【００１１】
本発明は、上記の問題点を踏まえて成されたものであって、その目的とするところは、固定サッシの結露排水構造として、下枠のガラス溝を通って排水するタイプを採用しているにも拘わらずガラス溝内部の湿気によるガラスへの悪影響を回避できるようにすることにある。
【課題を解決するための手段】
【００１２】
上記の目的を達成するために本発明が講じた技術的手段は、次のとおりである。即ち、請求項１に記載の発明は、室内側のガラス面に結露した結露水を下枠のガラス溝を通って室外に排水する固定サッシの結露排水構造であって、ガラス溝の内部に、結露水の流路の周囲をガラス溝の内部空間と隔離する仕切り体を設けたことを特徴としている。
【００１３】
請求項２に記載の発明は、請求項１に記載の固定サッシの結露排水構造であって、仕切り体が、ガラス溝の内部に設置された下向き開放の溝状部材によって構成されていることを特徴としている。
【００１４】
請求項３に記載の発明は、請求項１に記載の固定サッシの結露排水構造であって、仕切り体が、ガラス溝の内部に設置された排水パイプによって構成されていることを特徴としている。
【００１５】
請求項４に記載の発明は、請求項３に記載の固定サッシの結露排水構造であって、排水パイプの一端を下枠の室内側凹部に設けられた排水弁の排出口に連結し、他端をガラス溝の底板部に形成した流出口より下方に突出させてあることを特徴としている。
【発明の効果】
【００１６】
請求項１に記載の発明によれば、ガラス溝の内部に、結露水の流路の周囲をガラス溝の内部空間と隔離する仕切り体を設けたので、固定サッシの結露排水構造として、下枠のガラス溝を通って排水するタイプを採用しているにも拘わらず結露水を隔離した状態で排水することになり、ガラス溝の内部空間が結露水の蒸発によって湿潤状態になることがない。従って、ガラス溝内部の湿気によるガラスへの悪影響を回避でき、固定サッシの品質を長期間にわたって確保できる。
【００１７】
請求項２に記載の発明によれば、下向き開放の溝状部材をガラス溝の内部に付加するだけの簡単な構成によって、結露水をガラス溝の内部空間と隔離した状態で排水することが
できる。
【００１８】
請求項３に記載の発明によれば、結露水の排水パイプをガラス溝の内部に付加するだけの簡単な構成によって、結露水をガラス溝の内部空間と隔離した状態で排水することができる。
【００１９】
請求項４に記載の発明によれば、排水パイプと下枠の室内側凹部に設けられる排水弁とを一体物として取り扱うことができ、下枠に対する排水弁の取付けとガラス溝への排水パイプの配管とを同時に行うことができる。
【発明を実施するための最良の形態】
【００２０】
以下、本発明の実施形態を図面に基づいて説明する。図１〜図３は、本発明に係る固定サッシの結露排水構造の一例を示す。図中の１は、嵌め殺し窓（ＦＩＸ窓）を構成する固定サッシであり、上枠（図示せず）と、下枠２と、それらの端部にマットシーラー（図示せず）を介してビス止めされた一対の縦枠（図示せず）とから成るアルミ製の方形枠体と、それに固定状態に嵌め込まれた網入りガラス３等で構成されている。４は下枠２に形成したガラス溝である。５はガラス溝４の底面に適当間隔おきに設置されたセッティングブロックであり、網入りガラス３の下端面（小口）を局部的に支えている。セッティングブロック５によって所々を支えられた網入りガラス３の小口は、ガラス溝４の内部空間に露出している。６は網入りガラス３の内外両側面とガラス溝４の上端開口との間をシールするシール材、７はそのバックアップ材である。
【００２１】
８は下枠２の室内側凹部９に設けられた逆止弁機構を有する既知構造の排水弁である。室内側のガラス面に結露した結露水は、下枠２の室内側凹部９に流下し、排水弁８から重力で排水されるが、外部風による雨水の吹込みや結露水の逆流は防止されるように構成されている。排水弁８の排出口ａから出た結露水は、下枠２のガラス溝４を通って室外へと排水されるように構成されている。ｂはガラス溝４の室内側の立上り板部１０に形成された結露水の流入口、ｃはガラス溝４の底板部１１に形成された結露水の流出口である。１２は、下枠２の長手方向両端と図外の縦枠とをビス止めする取付ビス（図示せず）のねじ込み用凹部である。
【００２２】
ガラス溝４の内部には、流入口ｂから流出口ｃにかけて形成される結露水の流路の周囲をガラス溝４の内部空間と隔離する仕切り体Ａとして、下向き開放の溝状部材１３がガラス溝４を横切る方向に設置されている。図示の溝状部材１３は、下端にリップ１３ａが折曲連設された一対の側板部１３ｂと、その上端に折曲連設された天板部１３ｃとで形成され、リップ１３ａをガラス溝４の底面に接着等の手段によって固定してある。
【００２３】
上記の構成によれば、ガラス溝４の内部に、結露水の流路の周囲をガラス溝４の内部空間と隔離する仕切り体Ａを設けたので、固定サッシ１の結露排水構造として、下枠２のガラス溝４を通って排水するタイプを採用しているにも拘わらず結露水をガラス溝４の内部空間と隔離した状態で排水することになり、ガラス溝４の内部空間が結露水の蒸発によって湿潤状態になることがない。
【００２４】
従って、ガラス溝４内部の湿気によって網入りガラス３の小口の金網３ａが錆が発生したり、錆による金網３ａの膨張によってガラスが割れるといったガラス溝４内部の湿気によるガラスへの悪影響を回避でき、固定サッシ１の品質を長期間にわたって確保できる。
【００２５】
尚、図示の溝状部材１３はアルミ製であるが、ステンレス、ゴム、合成樹脂など他の材料で構成してもよい。また、溝状部材１３の断面形状は、リップ無しのチャンネル状、半円形など他の形状であってもよい。
【００２６】
図４は、本発明の他の実施形態を示す。この実施形態は、前述した溝状部材１３の奥行き寸法をガラス溝４の幅よりも短くして、溝状部材１３の外端をガラス溝４の底板部１１に形成した流出口ｃの外端位置で留める一方、溝状部材１３の外端に蓋板部１３ｄを設けて、溝状部材１３の先端開口を閉塞した点に特徴がある。蓋板部１３ｄは、天板部１３ｃと一体に折曲形成してもよく、別部材を溝状部材１３の先端開口に嵌合固定して蓋板部１３ｄとしてもよい。この構成によれば、溝状部材１３の奥行き寸法がガラス溝４の幅よりも短いので、ガラス溝４への溝状部材１３の挿入設置作業が容易である。その他の構成、作用は、先の実施形態と同じであるため、説明を省略する。
【００２７】
図５は、本発明の他の実施形態を示し、前述した仕切り体Ａが、ガラス溝４の内部に設置された排水パイプ１４によって構成されている点に特徴がある。排水パイプ１４の一端は下枠２の室内側凹部９に設けられた排水弁８の排出口ａに連結されており、排水パイプ１４の他端は、ガラス溝４の底板部１１に形成した流出口ｃより下方に突出させてある。また、排水パイプ１４は、ゴム、合成樹脂等の弾性材料によってフレキシブルに構成されているが、アルミ等の金属製であってもよい。さらにまた、排水パイプ１４の断面の外殻形状は、流入口ｂ及び流出口ｃの削孔形状と同型で、僅かに小さい寸法とすることが望ましい。例えば、排水パイプ１４の断面が円型であれば、流入口ｂ及び流出口ｃも円型に削孔されて、排水パイプ１４の外径寸法は流入口ｂ及び流出口ｃの内径寸法に比して、僅かに小さく取付に要する程度の寸法（０．５〜１．０ｍｍ）とされるのがよい。特に排水パイプ１４が流出口ｃと当接する箇所（排水パイプ１４が流出口ｃと接する円周方向の周囲）は、網入りガラス３を設置する前に不定形シーラント等（図示しない）により塞ぎ、外気を遮断することがより好ましい。
【００２８】
上記の構成によれば、結露水の排水パイプ１４をガラス溝４の内部に付加するだけの簡単な構成によって、結露水をガラス溝４の内部空間と隔離した状態で排水することができる。
【００２９】
しかも、排水パイプ１４と下枠２の室内側凹部９に設けられる排水弁８とを一体物として取り扱うことができ、下枠２に対する排水弁８の取付けとガラス溝４への排水パイプ１４の配管とを同時に行うことができる。
【００３０】
以上、本発明の実施形態について説明したが、本発明は上述した実施形態にのみ限定されるべきものではない。例えば、上述した実施形態においては、嵌め殺し窓（ＦＩＸ窓）のガラスとして、網入りガラス３を用いたが、合わせガラスも用いて実施してもよい。
【図面の簡単な説明】
【００３１】
【図１】本発明の一実施形態を示す要部の一部切欠き斜視図である。
【図２】要部の一部切欠き正面図である。
【図３】要部の縦断側面図である。
【図４】本発明の他の実施形態を示す要部の縦断側面図である。
【図５】本発明の他の実施形態を示す要部の縦断側面図である。
【図６】網入りガラスの切断状況の説明図である。
【図７】従来例の説明図である。
【符号の説明】
【００３２】
１  固定サッシ
２  下枠
３  網入りガラス
３ａ  金網
３ｂ  金網端部
３ｃ  防錆処理
４  ガラス溝
５  セッティングブロック
６  シール材
７  バックアップ材
８  排水弁
９  室内側凹部
１０  立上り板部
１１  底板部
１２  ねじ込み用凹部
１３  溝状部材
１３ａ  リップ
１３ｂ  側板部
１３ｃ  天板部
１３ｄ  蓋板部
１４  排水パイプ
３０  ガラス
Ａ  仕切り体
ａ  排出口
ｂ  流入口
ｃ  流出口
【図１】
2009293204.tif 000003
【図２】
2009293204.tif 000004
【図３】
2009293204.tif 000005
【図４】
2009293204.tif 000006
【図５】
2009293204.tif 000007
【図６】
2009293204.tif 000008
【図７】
2009293204.tif 000009